(57)【要約】【課題】敷地外周部の温度上昇を抑制しつつ、屋外から屋内への通風性を向上させることによって、従来に比して、より快適な居住環境を形成する。【解決手段】テラス部４は、当該テラス部４から建物本体２の屋内空間への空気の流入に支障を来す程度の段差がない状態で第一開口部６ａの下縁部と隣り合うテラス床７と、当該テラス床７の周囲に設けられる塀８と、を有し、テラス床７と塀８は給水管９が埋め込まれた保水性材料からなる。建物本体２は、屋内空間を挟んで第一開口部６ａと第二開口部６ｂとを接続するとともに空気を横方向に移動させるための横方向風洞部２ａを有する。テラス部４には、第一開口部６ａに対して略垂直に、かつテラス部４周囲または／および上方の範囲内に配置される面状の導風手段が設けられ、陽光を遮るとともに、テラス床７上方の空気が屋内空間に流入しやすくなるように規制している。【選択図】図１
2015014164.tif 000002
【特許請求の範囲】
【請求項１】
建物本体と、当該建物本体の外周面を構成する外壁の屋外側に設けられるテラス部と、を備える建物の通風構造において、
前記外壁は、当該外壁のうち前記テラス部に面する箇所に形成される第一開口部と、前記テラス部とは反対側の箇所に形成される第二開口部と、を有しており、
前記テラス部は、当該テラス部から前記建物本体の屋内空間への空気の流入に支障を来す程度の段差がない状態で前記第一開口部の下縁部と隣り合うテラス床と、当該テラス床の周囲の少なくとも一部に設けられる塀と、を有し、
前記テラス床と前記塀は保水性材料からなり、かつ当該保水性材料に灌水するための給水管が埋め込まれるようにして構成されており、
前記建物本体は、前記屋内空間を挟んで前記第一開口部と前記第二開口部とを接続するとともに空気を横方向に移動させるための横方向風洞部を有しており、
前記テラス部には、前記第一開口部に対して略垂直に、かつ前記テラス部周囲または／および上方の範囲内に配置される面状の導風手段が設けられており、
当該導風手段によって、陽光を遮るとともに、前記テラス部周辺に風が生じた場合に、前記テラス床上方の空気が前記屋内空間に流入しやすくなるように規制していることを特徴とすることを特徴とする建物の通風構造。
【請求項２】
請求項１に記載の建物の通風構造において、
前記建物は、前記建物本体の上部に設けられる屋根を備えており、
前記屋根は、開閉可能に構成された第三開口部を有しており、
前記建物本体は、前記屋内空間を介して前記第一開口部と前記第三開口部とを接続するとともに空気を上昇させるための縦方向風洞部を有することを特徴とする建物の通風構造。
【請求項３】
請求項１または２に記載の建物の通風構造において、
前記導風手段は、前記外壁のうち前記テラス部の周囲を囲むようにして配置される袖壁または外壁面を備えることを特徴とする建物の通風構造。
【請求項４】
請求項１〜３のいずれか一項に記載の建物の通風構造において、
前記導風手段は、前記テラス部の上方に配置されて当該テラス部の上方を囲むようにして配置される屋外天井面を備えることを特徴とする建物の通風構造。
【請求項５】
請求項１〜４のいずれか一項に記載の建物の通風構造において、
前記導風手段は、前記テラス部の上方に配置されて当該テラス部の上方を囲むようにして配置される日除け部を備えることを特徴とする建物の通風構造。
【請求項６】
請求項５に記載の建物の通風構造において、
前記日除け部は、前記外壁側から前記塀の上方に向かって拡縮自在に展開する陽光を遮るための幕状体を有することを特徴とする建物の通風構造。
【請求項７】
請求項５に記載の建物の通風構造において、
前記日除け部は、前記テラス部を挟んで、前記第一開口部が形成された箇所の前記外壁と対向する位置に設置された門型支柱と、
当該門型支柱の上端部から前記外壁に向かって拡縮自在に展開する陽光を遮るための幕状体と、を有することを特徴とする建物の通風構造。
【請求項８】
請求項４を引用する請求項７に記載の建物の通風構造において、
前記幕状体の展開方向先端は、前記屋外天井面の下方に配置されていることを特徴とする建物の通風構造。
【請求項９】
請求項８に記載の建物の通風構造において、
前記幕状体の展開方向先端は、前記屋外天井面との間に通風用の間隔を空けて配置されていることを特徴とする建物の通風構造。
【請求項１０】
請求項５に記載の建物の通風構造において、
前記外壁は、当該外壁から前記テラス部の上方に張り出す張出部を有し、前記屋外天井面は、当該張出部の下端面によって構成されており、
前記日除け部は、前記張出部の下端部から前記塀の上方に向かって拡縮自在に展開する陽光を遮るための幕状体を有することを特徴とする建物の通風構造。
【請求項１１】
請求項２〜１０のいずれか一項に記載の建物の通風構造において、
前記第一開口部が形成された箇所の前記外壁の屋内空間には、隣接する他の空間よりも天井高が高く設定された高天井部が設けられ、
前記高天井部の天井付近と前記縦方向風洞部とが通気部を介して接続されていることを特徴とする建物の通風構造。
【請求項１２】
請求項５〜１０のいずれか一項を引用する請求項１１に記載の建物の通風構造において、
前記第一開口部が形成された箇所の前記外壁には、前記第一開口部よりも上方に、かつ前記高天井部に面して高窓が形成されており、
前記日除け部は、前記第一開口部と前記高窓との境界部分と略等しい高さに配置されていることを特徴とする建物の通風構造。
【請求項１３】
請求項１〜１２のいずれか一項に記載の建物の通風構造において、
前記テラス床の上面は、前記建物本体の下階の床よりも高い位置に配置されていることを特徴とする建物の通風構造。
【請求項１４】
請求項３〜１３のいずれか一項に記載の建物の通風構造において、
前記給水管には、雨水を貯留して当該雨水を前記給水管側に供給する雨水タンクが接続されており、
前記雨水タンクは、前記テラス床の床下空間または前記袖壁の内部に収納されていることを特徴とする建物の通風構造。
【発明の詳細な説明】
【技術分野】
【０００１】
本発明は、住宅等の建物の通風構造に関する。
【背景技術】
【０００２】
夏場のような温暖な時期であっても快適な居住環境を形成することを目的として、特許文献１に記載のような技術が知られている。特許文献１に記載の技術においては、採風用の窓開口部から最も離間した位置に配置された階段室と、この階段室の上部設けられた天窓およびシーリングファンを利用して建物内の換気を行っている。すなわち、窓開口部から採り込んだ外気を、部屋の内部を通り抜けさせて階段室まで到達させることで、空気を流通させることができる。
【先行技術文献】
【特許文献】
【０００３】
【特許文献１】特開２０１０−１１６６７０号公報
【発明の概要】
【発明が解決しようとする課題】
【０００４】
ところで、特に夏場などの温暖な時期においては、建物周囲の敷地外周部の温度が上昇してしまうため、窓等の開口部から単に外気を採り込むだけでは、十分に快適な居住環境を形成しにくいという問題がある。そこで、敷地外周部の温度上昇を抑制しつつ、屋外から屋内への通風性を向上させたいという要望があった。
【０００５】
本発明の課題は、敷地外周部の温度上昇を抑制しつつ、屋外から屋内への通風性を向上させることによって、従来に比して、より快適な居住環境を形成することが可能な建物の通風構造を提供することを目的とする。
【課題を解決するための手段】
【０００６】
請求項１に記載の発明は、例えば図１〜図１３に示すように、建物本体２と、当該建物本体２の外周面を構成する外壁３の屋外側に設けられるテラス部４と、を備える建物１の通風構造において、
前記外壁３は、当該外壁３のうち前記テラス部４に面する箇所に形成される第一開口部６ａと、前記テラス部４とは反対側の箇所に形成される第二開口部６ｂと、を有しており、
前記テラス部４は、当該テラス部４から前記建物本体２の屋内空間への空気の流入に支障を来す程度の段差がない状態で前記第一開口部６ａの下縁部と隣り合うテラス床７と、当該テラス床７の周囲の少なくとも一部に設けられる塀８と、を有し、
前記テラス床７と前記塀８は保水性材料（例えばコンクリート７ａ、礫体８ａ）からなり、かつ当該保水性材料に灌水するための給水管９が埋め込まれるようにして構成されており、
前記建物本体２は、前記屋内空間を挟んで前記第一開口部６ａと前記第二開口部６ｂとを接続するとともに空気を横方向に移動させるための横方向風洞部２ａを有しており、
前記テラス部４には、前記第一開口部６ａに対して略垂直に、かつ前記テラス部４周囲または／および上方の範囲内に配置される面状の導風手段（例えば袖壁４０ａ、外壁面４０ｂ、屋外天井面４０ｃ、日除け部４０ｄ）が設けられており、
当該導風手段によって、陽光を遮るとともに、前記テラス部４周辺に風が生じた場合に、前記テラス床７上方の空気が前記屋内空間に流入しやすくなるように規制していることを特徴とする。
【０００７】
請求項１に記載の発明によれば、前記テラス部４は、保水性材料からなる前記テラス床７と前記塀８とを有するので、前記給水管９を通じて保水性材料に灌水することで、その気化熱により前記テラス床７および前記塀８の周囲の温度を下げることができる。すなわち、敷地外周部である前記テラス部４内の空気およびテラス部４を通過する空気を冷やし、温度上昇を抑制することができる。
そして、このように前記テラス部４で冷やされた空気を前記横方向風洞部２ａに吹き込ませることによって、当該空気を、前記第一開口部６ａから前記第二開口部６ｂに向けて前記屋内空間を横切るようにして移動させることができるので、前記屋内空間の温度を低下させることが可能となり、快適な居住環境を形成できる。
また、前記テラス床７は、前記第一開口部６ａの下縁部に対して、空気の流入に支障を来す程度の段差がない状態で隣り合うので、屋外の空気を屋内空間に吹き込ませやすくなっている。しかも、前記導風手段は面状であり、前記第一開口部６ａに対して略垂直になるように前記テラス部４に配置されるので、前記テラス部４周辺に風が生じた場合に、前記テラス床７上方の空気が前記屋内空間に流入しやすくなるように規制でき、前記テラス部４から前記屋内空間へと吹き込む空気の誘導路として機能することになる。また、当該面状の導風手段は、前記第一開口部６ａに対して略垂直に配置されるため、前記第一開口部６ａの側方や上方、斜め上方から射し込む陽光を遮りやすくなり、前記テラス部４の温度上昇を抑制しつつ、前記屋内空間の温度上昇も抑制することができる。
これによって、屋外から前記屋内空間への通風性を向上させることができるので、従来に比して、より快適な居住環境を形成することが可能となる。
【０００８】
請求項２に記載の発明は、例えば図１，図２，図５〜図７に示すように、請求項１に記載の建物１の通風構造において、
前記建物１は、前記建物本体２の上部に設けられる屋根５を備えており、
前記屋根５は、開閉可能に構成された第三開口部６ｃを有しており、
前記建物本体２は、前記屋内空間を介して前記第一開口部６ａと前記第三開口部６ｃとを接続するとともに空気を上昇させるための縦方向風洞部２ｂを有することを特徴とする。
【０００９】
請求項２に記載の発明によれば、前記テラス部４で冷やされた空気を前記縦方向風洞部２ｂに吹き込ませることによって、当該空気を、前記第一開口部６ａから前記第三開口部６ｃに向けて前記屋内空間を移動させることができるので、当該空気の移動経路にある屋内空間の温度を低下させることが可能となり、より快適な居住環境を形成できる。しかも、温かい空気は上昇する性質を備えているので、前記第三開口部６ｃからの排気効率は高いものとなる。
【００１０】
請求項３に記載の発明は、例えば図１〜図３，図５，図６，図８〜図１１等に示すように、請求項１または２に記載の建物１の通風構造において、
前記導風手段は、前記外壁３のうち前記テラス部４の周囲を囲むようにして配置される袖壁４０ａまたは外壁面４０ｂを備えることを特徴とする。
【００１１】
請求項３に記載の発明によれば、前記導風手段である前記袖壁４０ａまたは外壁面４０ｂは、前記テラス部４の周囲を囲むようにして配置されるので、当該袖壁４０ａまたは外壁面４０ｂで囲まれた部分が、前記テラス部４から前記屋内空間へと吹き込む空気の誘導路として機能する。これによって、前記テラス部４の空気を、前記第一開口部６ａを通じて前記屋内空間へとより吹き込ませやすくなる。また、側方や斜め上方から前記テラス部４または前記第一開口部６ａに射し込む陽光を、前記袖壁４０ａまたは前記外壁面４０ｂによって遮ることが可能となる。
【００１２】
請求項４に記載の発明は、例えば図２，図８に示すように、請求項１〜３のいずれか一項に記載の建物１の通風構造において、
前記導風手段は、前記テラス部４の上方に配置されて当該テラス部４の上方を囲むようにして配置される屋外天井面４０ｃを備えることを特徴とする。
【００１３】
請求項４に記載の発明によれば、前記導風手段である前記屋外天井面４０ｃは、前記テラス部４の上方を囲むようにして配置されるので、当該屋外天井面４０ｃで囲まれた部分が、前記テラス部４から前記屋内空間へと吹き込む空気の誘導路として機能する。これによって、前記テラス部４の空気を、前記第一開口部６ａを通じて前記屋内空間へとより吹き込ませやすくなる。また、前記テラス部４の上方に当該屋外天井面４０ｃが配置されることによって、上方から前記テラス部４または前記第一開口部６ａに射し込む陽光を遮ることが可能となる。
【００１４】
請求項５に記載の発明は、例えば図１〜図３，図８〜図１１に示すように、請求項１〜４のいずれか一項に記載の建物１の通風構造において、
前記導風手段は、前記テラス部４の上方に配置されて当該テラス部４の上方を囲むようにして配置される日除け部４０ｄを備えることを特徴とする。
【００１５】
請求項５に記載の発明によれば、前記導風手段である前記日除け部４０ｄは、前記テラス部４の上方を囲むようにして配置されるので、上方から前記テラス部４または前記第一開口部６ａに射し込む陽光を確実に遮ることができる。また、当該日除け部４０ｄで囲まれた部分が、前記テラス部４から前記屋内空間へと吹き込む空気の誘導路として機能するので、前記テラス部４の空気を、前記第一開口部６ａを通じて前記屋内空間へとより吹き込ませやすくなる。
【００１６】
請求項６に記載の発明は、例えば図１０に示すように、請求項５に記載の建物１の通風構造において、
前記日除け部４０ｄは、前記外壁３側から前記塀８の上方に向かって拡縮自在に展開する陽光を遮るための幕状体４１を有することを特徴とする。
【００１７】
請求項６に記載の発明によれば、前記日除け部４０ｄは、前記外壁３側から前記塀８の上方に向かって拡縮自在に展開する陽光を遮るための幕状体４１を有するので、当該幕状体４１を必要な時に展開させて前記テラス部４の上方を囲むようにして配置でき、上方から前記テラス部４または前記第一開口部６ａに射し込む陽光をより確実に遮ることができる。また、前記幕状体４１は、前記外壁３側から前記塀８の上方に向かって展開するため、比較的深い位置（建物１寄りの位置）から陽光を遮ることができる。これによって、季節によって日射角が変わっても確実に陽光を遮ることができる。
【００１８】
請求項７に記載の発明は、例えば図１〜図３，図８，図９に示すように、請求項５に記載の建物１の通風構造において、
前記日除け部４０ｄは、前記テラス部４を挟んで、前記第一開口部６ａが形成された箇所の前記外壁３と対向する位置に設置された門型支柱４２と、
当該門型支柱４２の上端部から前記外壁３に向かって拡縮自在に展開する陽光を遮るための幕状体４１と、を有することを特徴とする。
【００１９】
請求項７に記載の発明によれば、前記日除け部４０ｄは、前記門型支柱４２と、当該門型支柱４２の上端部から前記外壁３に向かって拡縮自在に展開する陽光を遮るための幕状体４１とを有するので、当該幕状体４１を必要な時に展開させて前記テラス部４の上方を囲むようにして配置でき、上方から前記テラス部４または前記第一開口部６ａに射し込む陽光をより確実に遮ることができる。
また、当該日除け部４０ｄは、前記外壁３から離間して配置された自立式の日除け部４０ｄであるため、前記外壁３側の構造や形状等に左右されることなく、採用することができるので好ましい。
【００２０】
請求項８に記載の発明は、例えば図１〜図３，図８，図９に示すように、請求項４を引用する請求項７に記載の建物１の通風構造において、
前記幕状体４１の展開方向先端は、前記屋外天井面４０ｃの下方に配置されていることを特徴とする。
【００２１】
請求項８に記載の発明によれば、前記幕状体４１の展開方向先端は、前記屋外天井面４０ｃの下方に配置されているので、前記屋外天井面４０ｃと前記幕状体４１とが平面視において連続的に配置されることとなる。これによって、前記テラス部４の上方を、当該屋外天井面４０ｃと幕状体４１とによって確実に囲むことができるので、より確実に陽光を遮ることができる。
【００２２】
請求項９に記載の発明は、例えば図１〜図３，図８，図９に示すように、請求項８に記載の建物１の通風構造において、
前記幕状体４１の展開方向先端は、前記屋外天井面４０ｃとの間に通風用の間隔を空けて配置されていることを特徴とする。
【００２３】
請求項９に記載の発明によれば、前記幕状体４１の展開方向先端は、前記屋外天井面４０ｃとの間に通風用の間隔を空けて配置されているので、前記幕状体４１の上方と下方から通風させる際に都合が良い。また、このように前記幕状体４１の上方と下方から通風ができれば、通風ルートを二方向に分けたり、例えば展開方向先端に鍔（例えば、保持枠４３の上端部４３ａ）を取り付けることにより、いわゆる風レンズ原理に基づく技術を適用させたりすることができる。
【００２４】
請求項１０に記載の発明は、例えば図１１に示すように、請求項５に記載の建物１の通風構造において、
前記外壁３は、当該外壁３から前記テラス部４の上方に張り出す張出部３４を有し、前記屋外天井面４０ｃは、当該張出部３４の下端面によって構成されており、
前記日除け部４０ｄは、前記張出部３４の下端部から前記塀８の上方に向かって拡縮自在に展開する陽光を遮るための幕状体４１を有することを特徴とする。
【００２５】
請求項１０に記載の発明によれば、前記屋外天井面４０ｃは、前記張出部３４の下端面によって構成されているので、当該張出部３４によって、上方から前記テラス部４または前記第一開口部６ａに射し込む陽光を遮りながら、当該張出部３４を例えばバルコニー等として利用できる。
また、前記日除け部４０ｄは、前記張出部３４の下端部から前記塀８の上方に向かって設けられるので、当該日除け部４０ｄを前記第一開口部６ａの上方に取り付ける必要が無くなり、その分、当該第一開口部６ａの開口面積を広く確保できる。
さらに、前記幕状体４１の前記塀８までの長さが、前記日除け部４０ｄを前記第一開口部６ａの上方に取り付けた場合と比較して短いものであっても、当該第一開口部６ａの上方に取り付けた場合と同様の日影の面積を確保できる。また、逆に言えば、前記幕状体４１の前記塀８までの長さが、前記日除け部４０ｄを前記第一開口部６ａの上方に取り付けた場合と比較して略等しいものであれば、その分日影の面積を広げることができるので、前記テラス部４の奥行きを広くすることが可能となる。
【００２６】
請求項１１に記載の発明は、例えば図１，図２，図６，図８等に示すように、請求項２〜１０のいずれか一項に記載の建物１の通風構造において、
前記第一開口部６ａが形成された箇所の前記外壁３の屋内空間には、隣接する他の空間（例えば台所１５）よりも天井高が高く設定された高天井部１６ａが設けられ、
前記高天井部１６ａの天井付近と前記縦方向風洞部２ｂとが通気部（例えば低天井の収納室２４）を介して接続されていることを特徴とする。
【００２７】
請求項１１に記載の発明によれば、温かい空気は上昇する性質を備えているので、前記高天井部１６ａには前記第一開口部６ａが形成された箇所の前記外壁３の屋内空間の温かい空気が溜まりやすくなる。このように前記高天井部１６ａに溜まった空気を、当該高天井部１６ａから前記通気部を介して前記縦方向風洞部２ｂへと直接流入させることができるので、いわゆる煙突効果によって排気（排熱）効率を高めることができる。
【００２８】
請求項１２に記載の発明は、例えば図１〜図３，図６，図８に示すように、請求項５〜１０のいずれか一項を引用する請求項１１に記載の建物１の通風構造において、
前記第一開口部６ａが形成された箇所の前記外壁３には、前記第一開口部６ａよりも上方に、かつ前記高天井部１６ａに面して高窓１６ｂが形成されており、
前記日除け部４０ｄは、前記第一開口部６ａと前記高窓１６ｂとの境界部分と略等しい高さに配置されていることを特徴とする。
【００２９】
請求項１２に記載の発明によれば、前記日除け部４０ｄは、前記第一開口部６ａと前記高窓１６ｂとの境界部分と略等しい高さに配置されているので、当該日除け部４０ｄの上方と下方から通風させることができる。そして、前記日除け部４０ｄの上方を通過する空気を、前記高窓１６ｂから前記高天井部１６ａに向かって吹き込ませることによって、前記高天井部１６ａに溜まった温かい空気を前記縦方向風洞部２ｂへと流入させやすくなる。これによって、前記屋内空間における通風性を向上できるので、より快適な居住環境を形成できる。
【００３０】
請求項１３に記載の発明は、例えば図１２に示すように、請求項１〜１２のいずれか一項に記載の建物１の通風構造において、
前記テラス床７（７Ａ，７Ｂ）の上面は、前記建物本体２の下階の床よりも高い位置に配置されていることを特徴とする。
【００３１】
請求項１３に記載の発明によれば、前記テラス床７（７Ａ，７Ｂ）の上面は、前記建物本体２の下階の床よりも高い位置に配置されているので、前記テラス床７（７Ａ，７Ｂ）上を通過する空気は、吹き下ろすようにして前記第一開口部６ａを介して前記屋内空間に吹き込むこととなる。これによって、前記テラス部４の空気を、単に横から吹く場合に比して勢いよく前記屋内空間に吹き込ませることができ、屋外から屋内空間への通風性をより向上させることができる。
【００３２】
請求項１４に記載の発明は、例えば図１２，図１３（ｂ）に示すように、請求項３〜１３のいずれか一項に記載の建物１の通風構造において、
前記給水管９には、雨水を貯留して当該雨水を前記給水管９側に供給する雨水タンク５４，５５が接続されており、
前記雨水タンク５４，５５は、前記テラス床７Ｂの床下空間または前記袖壁４０ａの内部に収納されていることを特徴とする。
【００３３】
請求項１４に記載の発明によれば、前記雨水タンク５４，５５が、前記テラス床７Ｂの床下空間または前記袖壁４０ａの内部のような前記テラス部４近傍にあるので、前記給水管９側に雨水を供給する際に都合が良い。また、前記雨水タンク５４，５５が、前記テラス床７Ｂの床下空間または前記袖壁４０ａの内部のような外から隠れた位置にあるので、テラス部４近傍の見栄えが良い。
【発明の効果】
【００３４】
本発明によれば、敷地外周部であるテラス部の温度上昇を抑制しつつ、屋外から屋内空間への通風性を向上させることによって、従来に比して、より快適な居住環境を形成することが可能となる。
【図面の簡単な説明】
【００３５】
【図１】建物本体の概略を示す斜視図である。
【図２】建物本体の概略を示す断面図である。
【図３】テラス部周囲を示す斜視図である。
【図４】テラス部周囲を示す断面図である。
【図５】建物の１階および１．５階を示す平断面図である。
【図６】建物の２階を示す平断面図である。
【図７】建物の２．５階を示す平断面図である。
【図８】日除け部およびその周囲の構成の一例を示す断面図である。
【図９】風レンズの原理に基づく技術を適用した場合の日除け部周囲の空気の流れを説明する図である。
【図１０】日除け部およびその周囲の構成の他の一例を示す断面図である。
【図１１】日除け部およびその周囲の構成の他の一例を示す断面図である。
【図１２】テラス床の上面と下階の床との高さ方向の位置関係を説明する図である。
【図１３】灌水手段の他の一例を示す図である。
【発明を実施するための形態】
【００３６】
以下、図面を参照して本発明の実施の形態について説明する。なお、本実施の形態で説明する図５〜図７の紙面上において上が北、下が南、左が西、右が東とされている。
図１〜図１３において符号１は、建物を示す。この建物１は、２．５階建ての建物本体２と、当該建物本体２の外周面を構成する外壁３の屋外側に設けられるテラス部４と、建物本体２の上部に設けられる屋根５と、を備える。
また、テラス部４には、陽光を遮るとともに、当該テラス部４を構成するテラス床７上方の空気を建物本体２の屋内空間に誘導する導風手段が設けられている。
【００３７】
まず、建物本体２について説明する。
建物本体２には、周囲を外壁３によって囲まれることによって屋内空間が形成されており、この屋内空間を内壁等によって仕切ることによって複数の部屋が形成されている。
建物本体２の１階には、複数の部屋が配置されている。
すなわち、図５に示すように、１階の北側には、玄関１０と、この玄関１０の北側に位置する便所１１・浴室１２・洗面所１３等の水廻りと、洗面所１３の東側に位置するユーティリティー室１４と、このユーティリティー室１４の南側であって玄関１０の東側に位置する台所１５と、が配設されている。
１階の南側には、台所１５の南側に位置するリビング・ダイニングとして利用される居室１６と、この居室１６の西側に位置する低天井（０．５階分の高さ：例えば０．８〜１．４ｍの天井高）の収納室（図示せず）と、この収納室の北側であって居室１６の西側に位置する階段室１７と、が配設されている。
なお、階段室１７には、１階から２．５階まで接続する階段１７ａおよび複数の踊り場が設けられている。階段１７ａは、踊り場を含む回り階段状に形成されている。
【００３８】
前記低天井の収納室の上方には、図５に示すように、１．５階の部屋として和室１８が配設されている。この和室１８は、階段室１７の階段を上がって最初の踊り場側に出入口が設けられている。
また、居室１６は、この居室１６に隣接する他の空間である前記台所１５よりも天井高が高く設定された高天井部１６ａを有する。その高さは、前記低天井の収納室の上方に設けられた和室１８と等しい高さとされている。
【００３９】
建物本体２の２階には、複数の部屋が配置されている。
すなわち、図６に示すように、階段１７ａを上がった位置に設けられ、東西に延びる廊下２０と、廊下２０の北側に位置する部屋２１，２２と、廊下２０の東側に位置する便所２３と、廊下２０および便所２３の南側に位置する低天井の収納室２４と、が配設されている。
図６において階段室１７の南側は、１．５階の和室１８の天井付近であり、低天井の収納室２４の南側は、居室１６の高天井部１６ａである。
【００４０】
建物本体２の２．５階には、複数の部屋が配置されている。
すなわち、図７に示すように、階段１７ａを上がった位置に設けられるとともに平面視略Ｔ型に形成され、南北に長く延びる廊下３０と、廊下３０の東側および西側に位置する部屋３１，３２と、廊下３０の北側に位置する収納所３３と、が配設されている。
図７には、北側に、２階の廊下２０や、２階の部屋２１，２２、便所２３の天井付近が表されている。
【００４１】
また、本実施の形態において、２．５階の部屋３１，３２や廊下３０を構成する外壁３は、当該外壁３から前記テラス部４の上方に張り出す張出部３４を有する。
本実施の形態の張出部３４はバルコニーである。ただし、これに限られるものではなく、例えば庇や軒天井、外壁のオーバーハング部のように、外側（テラス部４の上方）に向かって張り出すものであればよいものとする。
【００４２】
外壁３は、当該外壁３のうち前記テラス部４に面する箇所に形成される第一開口部６ａと、前記テラス部４とは反対側の箇所に形成される第二開口部６ｂと、を有する。これら第一開口部６ａと第二開口部６ｂはどちらも建物本体２の１階部分に設けられている。
第一開口部６ａは、ガラス付きのサッシが設けられた掃き出し窓であり、第二開口部６ｂは、ガラス付きのサッシが設けられた窓である。
また、外壁３には、これら第一開口部６ａと第二開口部６ｂ以外にも複数の窓が設けられている。例えば、第二開口部６ｂの近傍に地窓１３ａが設けられており、第二開口部６ｂによる排気の補助として機能する。
【００４３】
屋根５は、図２に示すように、いわゆる招き屋根の形状である。また、この屋根５は、開閉可能に構成された第三開口部６ｃを有する。この第三開口部６ｃは天窓であり、自動または手動で開閉される。
また、第三開口部６ｃの下方には、図２，図７に示すようにシーリングファン６ｄが設けられている。このシーリングファン６ｄは、正逆回転可能とされている。第三開口部６ｃを排気口として使用する場合は、上向きに送風できる方向に回転している。
なお、本実施の形態において第三開口部６ｃは天窓としたが、これに限られるものではない。例えば図示はしないが、第一屋根と第二屋根とを備え、これら第一屋根および第二屋根は、第一屋根が第二屋根より上方で、かつ互いに段差を有するように配置されてなる屋根に設けられる高窓であってもよい。すなわち、この高窓は、第一屋根と第二屋根との段差間に形成される外壁に設けられている。このような高窓も自動または手動で開閉可能に構成され、外壁は縦方向風洞部２ｂの一部を形成している。
【００４４】
そして、以上のように周囲に外壁３が設けられ、上部に屋根５が設けられた建物本体２は、図１，図２，図５〜図７に示すように、横方向風洞部２ａと、縦方向風洞部２ｂと、を有する。
横方向風洞部２ａは、前記屋内空間を挟んで前記第一開口部６ａと前記第二開口部６ｂとを接続するとともに空気を横方向に移動させるためのものである。
縦方向風洞部２ｂは、前記屋内空間を介して前記第一開口部６ａと前記第三開口部６ｃとを接続するとともに空気を上昇させるためのものである。
【００４５】
横方向風洞部２ａは、図１，図２，図５に示すように、建物本体２の１階に配設された居室１６と、台所１５と、洗面所１３とを挟んで前記第一開口部６ａと前記第二開口部６ｂとを接続する領域を指している。
すなわち、第一開口部６ａは、テラス部４と居室１６との間に設けられた外壁３に形成されており、第二開口部６ｂは、居室１６とは反対側の方角にある洗面所１３の外壁３に形成されている。そして、これら第一開口部６ａと第二開口部６ｂとの間に、居室１６と台所１５と洗面所１３とが配置されている。
さらに、居室１６と台所１５との間や、台所１５と洗面所１３との間には、通風を可能とする開口部（出入口）が設けられている。また、この開口部に扉等が設けられていたとしても、当該扉に換気ガラリ等が設けられたり、当該扉の上方の壁に欄間が設けられたりすることによって、通気用の開口が確保されているものとする。このようにして第一開口部６ａと第二開口部６ｂとが接続された状態となっている。
【００４６】
縦方向風洞部２ｂは、図１，図２，図５〜図７に示すように、建物本体２の１階に配設された居室１６と、階段室１７とを介して前記第一開口部６ａと前記第三開口部６ｃとを接続する領域を指している。
すなわち、第一開口部６ａは、テラス部４と居室１６との間に設けられた外壁３に形成されており、第三開口部６ｃは、屋根５のうち階段室１７の上方に位置する箇所に形成されている。そして、これら第一開口部６ａと第三開口部６ｃとの間に、居室１６と階段室１７とが配置されている。
階段室１７は居室１６に対して開口しており、階段室１７自体は遮るものがないオープンな空間となっている。このようにして第一開口部６ａと第三開口部６ｃとが接続された状態となっている。さらに、第三開口部６ｃの下方に設けられたシーリングファン６ｄによって縦方向風洞部２ｂによる排気機能を向上させている。
【００４７】
また、第一開口部６ａが形成された箇所の外壁３の屋内空間にあたる居室１６には、上述のように高天井部１６ａが設けられている。また、第一開口部６ａが形成された箇所の外壁３には、図１〜図３に示すように、第一開口部６ａよりも上方に、かつ前記高天井部１６ａに面して高窓１６ｂが形成されている。
また、高天井部１６ａと２階の低天井の収納室２４との間に設けられる内壁２４ａには開口部２４ｂが形成されており、換気ガラリが嵌め込まれている。さらに、低天井の収納室２４の出入口には引戸２４ｃが設けられており、この引戸２４ｃには換気ガラリ等が設けられたり、当該引戸の上方の壁に欄間が設けられたりすることによって、通気用の開口が確保されている。
すなわち、第一開口部６ａおよび高窓１６ｂから高天井部１６ａに吹き込んだ空気は、横方向風洞部２ａを通過して洗面所１３側に流れる場合と、２階の低天井の収納室２４を通過する場合とがある。
【００４８】
なお、第一開口部６ａおよび高窓１６ｂから高天井部１６ａに吹き込んだ空気が、２階の低天井の収納室２４を通過する場合、当該空気は、収納室２４の出入口（引戸２４ｃの通気用の開口）から、２階の廊下２０を経て、階段室１７へと至る。
すなわち、高天井部１６ａの天井付近と前記縦方向風洞部２ｂは、低天井の収納室２４および廊下２０を介して接続されている。低天井の収納室２４および廊下２０は、高天井部１６ａと縦方向風洞部２ｂとを通気可能に接続する通気部として機能する。なお、本実施の形態では、廊下２０を介するものとしたが、低天井の収納室２４と縦方向風洞部２ｂ（階段室１７）とを開口部等により直接接続してもよい。
【００４９】
次に、テラス部４について説明する。
テラス部４は、当該テラス部４から前記建物本体２の屋内空間への空気の流入に支障を来す程度の段差がない状態で前記第一開口部６ａの下縁部と隣り合うテラス床７と、当該テラス床７の周囲の少なくとも一部に設けられる塀８と、を有する。
前記テラス床７と前記塀８は保水性材料からなり、かつ当該保水性材料に灌水するための給水管９が埋め込まれるようにして構成されている。
【００５０】
テラス床７を構成する保水性材料は、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態のコンクリート７ａを固めたものが挙げられる。なお、軽石は産地により乾燥比重が多少ばらつくが、大きな相違はない。
このような保水性材料で構成されたテラス床７は、保水性能および透水（浸透）性能を有する。
また、配合比を容積で表すと、軽石（乾燥比重が０．４）７０〜８５容積％と、ポルトランドセメント３０〜１５容積％との配合物に対して水２０〜３０容積％を散布して混練するものである。
さらに、このように軽石を骨材とするコンクリートの含水比重は、セメントと砕石等の天然骨材とポルトランドセメントのみを使用したコンクリートの約６０％であり、乾燥比重は、約５０％である。
保水性能については、軽石を骨材として使用したテラス床７の含水比重は約１２００ｋｇ／ｍ２であり、およそ３００ｋｇ／ｍ３以上の水分を保水できる。また、浸透性能については、軽石で保水しきれなくなった水分を透過させるので、天然骨材を使用したコンクリートと同等の性能を得ることができる。
すなわち、このような軽石を骨材とするテラス床７を、例えば舗装面の舗装材として用いた場合、例えばテラス床７を５０ｍｍの厚みで舗装すると、含水重量は６０ｋｇ／ｍ２であり、乾燥比重は４５ｋｇ／ｍ２であるから１５リットルの水を保水することが可能となり、優れた性能を有している。
給水管９は、当該テラス床７を構成するコンクリート７ａの上面に形成された溝Ｍに収納されるようにして配管されている。当該溝Ｍは、コンクリート７ａが固まる前に型となる棒状部材（図示せず）を設けておき、コンクリート７ａが固まった後に棒状部材を抜き取ることで形成される。
なお、給水管９は、テラス床７の広い範囲に行き渡るように枝分かれ状に広がるようにして配管されている。
【００５１】
テラス床７は、より詳細に説明すると、図４に示すように、地盤上に設けられる砂利層７ｂと、当該砂利層７ｂ上に敷設される有孔の導水シート７ｃと、当該導水シート７ｃ上に設けられる前記コンクリート７ａの層と、当該コンクリート７ａの層の上に設けられる仕上げ材７ｄの層と、を備える。
コンクリート７ａの層は、上述のように保水性能および浸透性能を有することによって保水層として機能するものである。なお、本実施の形態においては１日で蒸発する水量（例えば５リットル／ｍ２）を保水できればよいものとする。
砂利層７ｂは、排水層として機能するものであり、コンクリート７ａの層で保水しきれなかった水（余剰水）を地盤に排水することができる。
導水シート７ｃは、吸水機能を有するものであり、コンクリート７ａの層に保水された水を拡散させるために設けられている。
仕上げ材７ｄの層を構成する仕上げ材７ｄは、化粧砂利をアクリルウレタンで固めた樹脂舗装や多孔質の保水タイル材が好適に使用される。このような仕上げ材７ｄが使用されることによって、仕上げ材７ｄの層は、いわゆる笊（ザル）のような状態となっている。
このような構成のテラス床７によれば、保水層であるコンクリート７ａの層に水が保水され、その気化熱により当該テラス床７の周囲の温度を下げることができる。すなわち、敷地外周部であるテラス部４内の空気およびテラス部４を通過する空気を冷やし、温度上昇を抑制することができる。さらに、導水シート７ｃによって水を拡散できるので、水を広い範囲に行き渡らせやすくなる。
また、大雨等によって大量の水がテラス床７に降り注いだとしても、排水層である砂利層７ｂを通じて地盤に排水できるので、水溜りによるカビの発生を抑えることができる。
さらに、仕上げ材７ｄの層によって、コンクリート７ａの層や給水管９を遮蔽できるので、意匠性の高いテラス床７を形成できる。
【００５２】
本実施の形態のテラス床７の高さは、テラス部４から屋内空間への空気の流入に支障を来す程度の段差がない状態となるように設定されている。具体的には、仕上げ材７ｄの層の表面から第一開口部６ａに設けられたサッシ枠の下縁部の上端部までの高さが２００ｍｍ以内となるように設定されている。
なお、サッシ枠の下縁部は、テラス床７から屋内空間に向かって徐々に上がるように傾斜しているので、テラス部４から屋内空間に向かって空気を流入させやすくすることができる。
【００５３】
なお、温かい空気と冷たい空気の場合、温かい空気は上昇する性質があり、冷たい空気は下降する性質がある。このような性質を考慮すれば、図１２（ａ），（ｂ）に示すように、テラス床７Ａ，７Ｂの上面が、建物本体２の１階の床よりも高い位置に配置されていてもよい。これによって、テラス床７Ａ，７Ｂ上を通過する比較的冷たい空気は、吹き下ろすようにして第一開口部６ａを介して屋内空間に吹き込むこととなる。
図１２（ａ）に示す例では、建物１が建築される敷地が、敷地外の土地よりも下がった状態となっており、建物１の１階はいわゆる半地下の状態となっている。テラス床７Ａは、敷地と敷地外の土地との間の傾斜地に設けられている。
図１２（ｂ）に示す例では、テラス床７Ｂ自体が、建物１に向かって下り勾配となるように略台形状に形成されている。なお、このテラス床７Ｂの床下空間には、後述する雨水タンク５４が収納されている。
そして、このようにテラス床７Ａ，７Ｂの上面が、建物本体２の下階の床よりも高い位置に配置されているので、テラス部４の空気を、単に横から吹く場合に比して勢いよく屋内空間に吹き込ませることができ、屋外から屋内空間への通風性をより向上させることができる。
【００５４】
塀８は、当該テラス部４に複数設けられており、これら複数の塀８は、図１，図３，図５に示すように、雁行するようにして配置されている。ただし、これに限られるものではなく、複数の塀８を横並びに配置してもよいし、風を取り込みやすくするために斜めに配置してもよい。
【００５５】
塀８を構成する保水性材料は、図１〜図４に示すように、例えば火山岩を砕いた軽石や他の採石などからなる多数の礫体８ａであり、保水性能および透水性能を有する。このような多数の礫体８ａは、網状容器８ｂ内に充填されている。
網状容器８ｂは、例えばステンレスやその他のスチール等の金属製の線状部材によって網目状に形成されている。網状容器８ｂは、言い換えれば、当該線状部材によってカゴ状、メッシュ状に形成された容器である。また、その形状やサイズは任意であり、本実施の形態においては略直方体状に形成されている。
また、当該網状容器８ｂに充填される一つ一つの礫体８ａは形状が異なり、さらに網状容器８ｂの網目よりも大きいものを使用する。
なお、ここで「礫」とは、粒状のものよりも大きく、かつブロック等の塊状のものよりも小さく形成されたものを指している。また、本実施の形態の礫体８ａは、一つ一つの形状が異なるものとしたが、人工的に略同形状に加工したものを用いてもよい。
また、塀８は、支柱（図示せず）および基礎８ｃによって、敷地に安定的に設置されている。
給水管９は、網状容器８ｂ内の広い範囲に行き渡るように、当該網状容器８ｂ内を枝分かれ状に広がるようにして配管されている。
【００５６】
複数の塀８の上端部にはそれぞれ植栽容器８ｄが設けられ植物が栽培されている。この植栽容器８ｄ内にも保水性材料および給水管９が配管されており、保水性材料に灌水できるとともに保水が可能となっている。また、各塀８の両脇には、植木が設けられている。
なお、植栽容器８ｄ内に設けられる保水性材料は、テラス床７を構成するコンクリート７ａと同様のものが採用されている。そして、この保水性材料の上に土壌が設けられている。
【００５７】
次に、導風手段について説明する。
すなわち、テラス部４には、図１〜図３，図５〜図９に示すように、第一開口部６ａに対して略垂直に、かつテラス部４周囲または／および上方の範囲内に配置される面状の導風手段が設けられている。そして、当該導風手段によって、陽光を遮るとともに、テラス部４周辺に風が生じた場合に、テラス床７上方の空気が屋内空間に流入しやすくなるように規制している。
導風手段は、袖壁４０ａまたは外壁面４０ｂと、屋外天井面４０ｃと、日除け部４０ｄと、を備える。
【００５８】
袖壁４０ａまたは外壁面４０ｂは、外壁３のうちテラス部４の周囲を囲むようにして配置されるものであり、テラス部４に面している。
本実施の形態においては、外壁３が、これら袖壁４０ａおよび外壁面４０ｂを備えるようにして形成されている。
より詳細に説明すると、第一開口部６ａが形成された箇所の外壁３は、他の箇所の外壁３よりも屋内に後退した状態で配置されている。これに伴って、第一開口部６ａが形成された箇所の外壁３の左右両側に、当該外壁３よりも前方に突出した状態の袖壁４０ａおよび外壁面４０ｂが形成されている。
【００５９】
屋外天井面４０ｃは、テラス部４の上方に配置されて当該テラス部４の上方を囲むようにして配置されるものであり、テラス部４に面している。また、この屋外天井面４０ｃは、袖壁４０ａおよび外壁面４０ｂ間に設けられている。
なお、本実施の形態の屋外天井面４０ｃは、図２，図８に示すように、前記張出部３４の下端面によって構成されている。すなわち、張出部３４は、袖壁４０ａおよび外壁面４０ｂを構成する外壁３の上端部に設けられている。そして、このように屋外天井面４０ｃが、張出部３４の下端面によって構成されているので、当該張出部３４によって、上方からテラス部４または第一開口部６ａに射し込む陽光を遮りながら、当該張出部３４をバルコニーや庇等として利用できる。
また、この屋外天井面４０ｃと、袖壁４０ａおよび外壁面４０ｂと、テラス床７とによって、トンネル状（筒状）の空間を形成することができる。
【００６０】
日除け部４０ｄは、テラス部４の上方に配置されて当該テラス部４の上方を囲むようにして配置されるものであり、テラス部４に面している。当該日除け部４０ｄは、拡縮自在に展開する陽光を遮るための幕状体４１を有する。
なお、幕状体４１を有する日除け部４０ｄとしては、例えばオーニング装置やシェード等が好適に採用される。本実施の形態の日除け部４０ｄはオーニング装置が採用される。日除け部４０ｄを、例えばシェードとした場合には、その展開方向先端を外壁３に取り付けるようにしてもよい。さらに、オーニング装置とシェード、またはその他の日除け装置を併用してもよい。
また、本実施の形態の幕状体４１は、門型支柱４２の上端部（後述する梁４２ｂ）から第一開口部６ａが形成された箇所の外壁３に向かって拡縮自在に展開する。
【００６１】
オーニング装置である日除け部４０ｄは、前記幕状体４１と、門型支柱４２、保持枠４３と、一対のアーム４４，４５と、を有する。
なお、幕状体４１は、図示しない巻き取り装置によって巻き取り可能とされている。この巻き取り装置は、幕状体４１の展開方向の基端側に位置する。
【００６２】
門型支柱４２は、日除け部４０ｄを自立させるためのものであり、テラス部４を挟んで、第一開口部６ａが形成された箇所の外壁３と対向する位置に設置されている。より具体的には、当該門型支柱４２は、テラス部４の塀８の近傍に配置されている。
また、当該門型支柱４２は、下端部が、地盤に埋設された基礎と一体化されることにより地盤に安定的に立設される複数本の柱４２ａと、これら複数本の柱４２ａ間に架設される梁４２ｂと、を備え、正面視において略門型に形成されている。そして、両端部に位置する柱４２ａ，４２ａ間に塀８が配置され、かつ梁４２ｂの下方に塀８が配置された状態となっている。
【００６３】
保持枠４３は、幕状体４１の展開方向の先端を保持し、一体的に展開方向・巻き取り方向に移動するものである。
一対のアーム４４，４５は、図２，図３，図８に示すように、幕状体４１の展開方向の先端および保持枠４３を、門型支柱４２の上端部（梁４２ｂ）に接近・離間する方向へ屈伸可能とするものである。当該一対のアーム４４，４５の一端部は回転軸を介して門型支柱４２に取り付けられ、他端部は回転軸を介して保持枠４３に取り付けられている。そして、当該一対のアーム４４，４５は、平面視において略「く」の字状に屈伸可能に形成されている。すなわち、一本のアーム４４（４５）自体は、回転軸を介して接続された二本のアーム構成部材を主体として構成されている。
また、当該一対のアーム４４，４５は、幕状体４１よりも上方に位置している。なお、このような幕状体４１の上面と一対のアーム４４，４５とで囲まれた領域は、空気が通過する通気路として機能する。また、幕状体４１は、巻き取り装置と保持枠４３との間に張った状態とすることも可能であり、図８に示すように下方に膨らむようにして湾曲させた状態とすることも可能となっている。
【００６４】
以上のような日除け部４０ｄにおける幕状体４１の展開方向先端（および保持枠４３）は、図８に示すように、屋外天井面４０ｃの下方に配置されている。すなわち、門型支柱４２の上端部から外壁３側に幕状体４１を展開させた時における当該幕状体４１の展開方向先端の位置が、屋外天井面４０ｃの下方となっている。これによって、屋外天井面４０ｃと幕状体４１とが平面視において連続的に配置されることとなる。
また、このように幕状体４１の展開方向先端を屋外天井面４０ｃの下方に配置できるようにするために、伸長時の一対のアーム４４，４５の長さが適宜設定されている。また、幕状体４１の展開できる長さも適宜設定されている。
【００６５】
また、幕状体４１の展開方向先端は、図８に示すように、屋外天井面４０ｃとの間に通風用の間隔を空けて配置されている。
このような間隔の広さ（幕状体４１の展開方向先端と屋外天井面４０ｃと間の長さ）は調整可能となっている。すなわち、前記一対のアーム４４，４５は側面視における角度を適宜調整できるように構成されている。図示はしないが、これら一対のアーム４４，４５は、第一開口部６ａに対して略垂直となるように角度調整できるように構成されている。これに伴って、幕状体４１も第一開口部６ａに対して略垂直に配置されることとなる。
これによって、日除け部４０ｄの角度を変更できるので、季節ごとに異なる日射角にも対応しやすい。なお、図８において符号Ｓは夏の日射角を示し、符号Ｗは冬の日射角を示す。
【００６６】
また、以上のように幕状体４１の展開方向先端を、屋外天井面４０ｃとの間に間隔を空けて配置することができるので、図８に示すように、日除け部４０ｄを、第一開口部６ａと高窓１６ｂとの境界部分と略等しい高さに配置することができる。すなわち、幕状体４１の展開方向先端を、外壁３のうち第一開口部６ａと高窓１６ｂとの境界部分に該当する箇所と略等しい高さに配置することができる。これによって、日除け部４０ｄ（幕状体４１）の上方と下方から通風させることができる。
【００６７】
なお、このように日除け部４０ｄ（幕状体４１）の上方と下方から通風させることができれば、例えば展開方向先端に鍔（フランジ状の部材）を取り付けることにより、いわゆる風レンズ原理に基づく技術を適用させることができる。
ここで、風レンズとは、近年、風力発電装置の風車と組み合わせて用いられ、風の入口から出口に向かって広がる筒（ディフューザ）と、出口周辺の鍔（フランジ）からなる。そして、筒の中と筒の外とを風が通り抜けると、風レンズの後方に空気の渦が発生し、圧力が低下するため、筒の入口付近の風速が増加する。これによって、筒内部に設けられた風車による発電効率を向上できる、というものである。
このような風レンズの原理を、本実施の形態の日除け部４０ｄによって再現することができる。このため、幕状体４１の展開方向先端を保持する保持枠４３は、幕状体４１および一対のアーム４４，４５よりも上方に突出しており、当該保持枠４３の上端部４３ａが、風レンズの鍔として機能することになる。また、袖壁４０ａおよび外壁面４０ｂも、風レンズの筒を構成する一要素として機能することになる。
すなわち、図２，図９に示すように、幕状体４１の上方と下方を空気が通過すると、保持枠４３の上端部によって幕状体４１の展開方向先端側に空気の渦が発生し、圧力が低下する。これによって、幕状体４１の巻き取り装置側の風速が増加し、第一開口部６ａから屋内空間に吹き込む空気の速度と量を増加させることができる。
【００６８】
本実施の形態の日除け部４０ｄは、門型支柱４２によって自立するタイプのものを採用したが、これに限られるものではなく、例えば図１０，図１１に示すようなタイプを始めとする様々なタイプの日除け部４０ｄを採用してもよいものとする。
【００６９】
図１０に示す例では、幕状体４１が、第一開口部６ａが形成された箇所の外壁３から塀８の上方に向かって展開している。また、本例では、テラス部４の上方に張り出す張出部としてはオーバーハング部３５が採用され、外壁３には高窓１６ｂが形成されていない状態となっている。
そして、オーバーハング部３５の下端面によって屋外天井面４０ｃが構成され、当該屋外天井面４０ｃの下方に袖壁４０ａおよび外壁面４０ｂが設けられている。
さらに、日除け部４０ｄとして、例えばシェードを採用した場合には、展開方向先端を塀８に取り付けてもよい。
【００７０】
図１０における日除け部４０ｄは、外壁３側から塀８の上方に向かって拡縮自在に展開する陽光を遮るための幕状体４１を有するので、当該幕状体４１を必要な時に展開させてテラス部４の上方を囲むようにして配置でき、上方からテラス部４または第一開口部６ａに射し込む陽光をより確実に遮ることができる。また、幕状体４１は、外壁３側から塀８の上方に向かって展開するため、比較的深い位置（建物１寄りの位置）から陽光を遮ることができる。これによって、季節によって日射角が変わっても確実に陽光を遮ることができる。
【００７１】
図１１に示す例では、幕状体４１が、バルコニーである張出部３４の下端部から塀８の上方に向かって展開している。より詳細には、日除け部４０ｄは、張出部３４の下端部のうちの垂直面に対して取り付けられている。
なお、外壁３には高窓１６ｂが形成されていない状態となっている。そして、張出部３４の下端面によって屋外天井面４０ｃが構成され、当該屋外天井面４０ｃの下方に袖壁４０ａおよび外壁面４０ｂが設けられている。
さらに、日除け部４０ｄとして、例えばシェードを採用した場合には、展開方向先端を塀８に取り付けてもよい。
【００７２】
図１１における日除け部４０ｄは、張出部３４の下端部から塀８の上方に向かって設けられるので、当該日除け部４０ｄを第一開口部６ａの上方に取り付ける必要が無くなり、その分、当該第一開口部６ａの開口面積を広く確保できる。さらに、幕状体４１の塀８までの長さが、日除け部４０ｄを第一開口部６ａの上方に取り付けた場合と比較して短いものであっても、当該第一開口部６ａの上方に取り付けた場合と同様の日影の面積を確保できる。また、逆に言えば、幕状体４１の前記塀８までの長さが、日除け部４０ｄを第一開口部６ａの上方に取り付けた場合と比較して略等しい（アーム４４，４５の長さが略等しい）ものであれば、その分日影の面積を広げることができるので、前記テラス部４の奥行きを広くすることが可能となる。
そして、このような図１１の例によれば、バルコニー等の張出部３４を利用して日除け部４０ｄを建物本体２に取り付けることによって敷地外周部の温度上昇を抑制しつつ、屋外から屋内への通風性を向上させたい、という要望に対して好適に対応できる。
【００７３】
次に、テラス床７および塀８に水を供給する灌水手段について説明する。
本実施の形態の灌水手段は、図１，図２，図５に示すように、雨水タンク５０と、竪樋５１と、給水本管５２と、ポンプ５３と、前記給水管９と、を備える。
【００７４】
竪樋５１は、屋根の軒樋と接続されており、下端部が、雨水タンク５０に対して雨水を送る管と、地面に排水する管とに分岐している。
雨水タンク５０は、当該竪樋５１のうち雨水を送る方の管の下方に設けられており、雨水を貯留できるようになっている。なお、雨の少ない時には水道から水を貯留できるようにしてもよいものとする。また、浴室１２の浴槽と雨水タンク５０とを管１２ａで接続し、風呂水を貯留できるようにしてもよい。
この雨水タンク５０は、給水本管５２およびポンプ５３を介して前記給水管９に接続されている。
【００７５】
給水本管５２は、雨水タンク５０の下端部に接続されており、テラス床７および塀８のそれぞれの給水管９に枝分かれするようにして接続されている。当該給水本管５２の中途部には、ポンプ５３が設けられており、このポンプ５３によって雨水タンク５０に貯留された雨水を、給水管９に送ることができる。また、給水本管５２およびポンプ５３は地中に埋設されているものとする。
また、図示はしないが、ポンプ５３によって雨水を給水管９に送る際に、タイマーに基づいて行うようにしてもよい。
【００７６】
なお、灌水手段は、以上の例に限られるものではなく、適宜変更可能である。
例えば図１２（ｂ）に示す例では、テラス床７Ｂの床下空間に雨水タンク５４が収納されている。テラス床７Ｂは、テラス床７と同様に保水性材料からなるものである。このため、テラス床７Ｂと雨水タンク５４との間には、当該雨水タンク５４に貯留された雨水をテラス床７Ｂの保水性材料に供給するための雨水供給手段（図示せず）が設けられているものとする。
また、雨水タンク５４に対しては、図示はしないが、屋根の軒樋に接続された竪樋から雨水を供給できるようになっている。
【００７７】
また、図１３に示す例では、袖壁４０ａの内部に雨水タンク５５が収納されている。この雨水タンク５５にも、当該雨水タンク５５に対して雨水を送る管と、地面に排水する管とに分岐した竪樋５６が接続されている。さらに、雨水タンク５５の下端部には、蛇口付きの給水本管５７が接続されている。給水本管５７は、テラス床７および塀８のそれぞれの給水管９に枝分かれするようにして接続されている。
また、雨水タンク５５にはオーバーフロー管５８が接続されており、袖壁４０ａ内部で水が溢れ出ることを防ぐことができる。
さらに、雨水タンク５５を収納する袖壁４０ａは内部中空状に形成されており、竪樋５６やオーバーフロー管５８は、当該袖壁４０ａの内部中空部に配管されて目立たないようになっている。
【００７８】
雨水タンク５４，５５が、テラス床７Ｂの床下空間または袖壁４０ａの内部のようなテラス部４近傍にあれば、雨水タンク５４，５５とテラス部４との距離が近いので、給水管９側に雨水を供給する際に都合が良い。また、雨水タンク５４，５５が、テラス床７Ｂの床下空間または袖壁４０ａの内部のような外から隠れた位置にあるので、テラス部４近傍の見栄えが良い。
【００７９】
次に、本実施の形態の建物１の通風構造における空気の流れについて説明する。
まず、灌水手段によってテラス床７および塀８に水を供給し、当該テラス床７および塀８を構成する保水性材料に雨水等の水を保水させる。
保水状態のテラス床７および塀８の周囲にある敷地外周部の空気は、テラス床７および塀８に保水された水の気化熱によって冷やされた状態となる。
【００８０】
続いて、日除け部４０ｄの幕状体４１を、図１〜図３，図８，図９に示すように、門型支柱４２から外壁３側へと展開させる。この時、幕状体４１の展開方向先端および保持枠４３を、屋外天井面４０ｃとの間に間隔を空けた状態となるように配置する。これによって、風レンズの原理を利用できるので、第一開口部６ａから屋内空間に吹き込む空気の速度と量を増加させることができる。
また、第一開口部６ａと第二開口部６ｂとを開放状態にする。さらに、これら第一開口部６ａと第二開口部６ｂとの間にある開口部も開放状態とし、横方向風洞部２ａを利用した空気の移動ができる状態とする。
【００８１】
続いて、第三開口部６ｃを開放状態にする。さらに、シーリングファン６ｄを必要に応じて上向きに送風できる方向に回転させる。これによって、縦方向風洞部２ｂを利用した空気の移動ができる状態となる。
なお、高窓１６ｂを開放状態とすることによって、通気部である低天井の収納室２４を介した空気の移動も促進される。また、高窓１６ｂを開放状態とすることで、上記の風レンズの原理を利用した通風量の増加等の効果を享受できる。
【００８２】
そして、図１，図２，図５〜図７に示すように、第一開口部６ａおよび高窓１６ｂから屋内空間に吹き込んだ空気は、横方向風洞部２ａを通って第二開口部６ｂから排気されるとともに、縦方向風洞部２ｂを通って第三開口部６ｃから排気される。
このような空気の流れが形成されると、テラス部４の空気を屋内空間に継続的に吹き込ませることができる。また、塀８およびテラス床７の上方を通過する空気を気化熱によって継続的に冷やすことができる。
また、図８に示すように、日除け部４０ｄによって陽光を遮ることができるので、テラス部４における温度上昇を抑制しつつ、比較的冷たい空気を屋内空間に吹き込ませることができる。
【００８３】
本実施の形態によれば、テラス部４は、保水性材料からなるテラス床７と塀８とを有するので、給水管９を通じて保水性材料に灌水することで、その気化熱によりテラス床７および塀８の周囲の温度を下げることができる。すなわち、敷地外周部であるテラス部４内の空気およびテラス部４を通過する空気を冷やし、温度上昇を抑制することができる。
そして、このようにテラス部４で冷やされた空気を横方向風洞部２ａに吹き込ませることによって、当該空気を、第一開口部６ａから第二開口部６ｂに向けて屋内空間を横切るようにして移動させることができるので、屋内空間の温度を低下させることが可能となり、快適な居住環境を形成できる。
また、テラス床７は、第一開口部６ａの下縁部に対して、空気の流入に支障を来す程度の段差がない状態で隣り合うので、屋外の空気を屋内空間に吹き込ませやすくなっている。しかも、導風手段である袖壁４０ａ、外壁面４０ｂ、屋外天井面４０ｃ、日除け部４０ｄは面状であり、第一開口部６ａに対して略垂直になるようにテラス部４に配置されるので、前記テラス部４周辺に風が生じた場合に、前記テラス床７上方の空気が前記屋内空間に流入しやすくなるように規制でき、テラス部４から屋内空間へと吹き込む空気の誘導路として機能することになる。また、当該面状の導風手段は、第一開口部６ａに対して略垂直に配置されるため、第一開口部６ａの側方や上方、斜め上方から射し込む陽光を遮りやすくなり、テラス部４の温度上昇を抑制しつつ、屋内空間の温度上昇も抑制することができる。
これによって、屋外から屋内空間への通風性を向上させることができるので、従来に比して、より快適な居住環境を形成することが可能となる。
【００８４】
また、テラス部４で冷やされた空気を縦方向風洞部２ｂに吹き込ませることによって、当該空気を、第一開口部６ａから第三開口部６ｃに向けて屋内空間を移動させることができるので、当該空気の移動経路にある屋内空間の温度を低下させることが可能となり、より快適な居住環境を形成できる。しかも、温かい空気は上昇する性質を備えているので、第三開口部６ｃからの排気効率は高いものとなる。
【００８５】
また、導風手段である袖壁４０ａまたは外壁面４０ｂは、テラス部４の周囲を囲むようにして配置されるので、当該袖壁４０ａまたは外壁面４０ｂで囲まれた部分が、テラス部４から屋内空間へと吹き込む空気の誘導路として機能する。これによって、テラス部４の空気を、第一開口部６ａを通じて屋内空間へと吹き込ませやすくなる。また、側方や斜め上方からテラス部４または第一開口部６ａに射し込む陽光を、袖壁４０ａまたは外壁面４０ｂによって遮ることが可能となる。
【００８６】
また、導風手段である屋外天井面４０ｃは、テラス部４の上方を囲むようにして配置されるので、当該屋外天井面４０ｃで囲まれた部分が、テラス部４から屋内空間へと吹き込む空気の誘導路として機能する。これによって、テラス部４の空気を、第一開口部６ａを通じて屋内空間へとより吹き込ませやすくなる。また、テラス部４の上方に当該屋外天井面４０ｃが配置されることによって、上方からテラス部４または第一開口部６ａに射し込む陽光を遮ることが可能となる。
【００８７】
また、導風手段である日除け部４０ｄは、テラス部４の上方を囲むようにして配置されるので、上方からテラス部４または第一開口部６ａに射し込む陽光を確実に遮ることができる。また、当該日除け部４０ｄで囲まれた部分が、テラス部４から屋内空間へと吹き込む空気の誘導路として機能するので、テラス部４の空気を、第一開口部６ａを通じて屋内空間へとより吹き込ませやすくなる。
【００８８】
また、日除け部４０ｄは、門型支柱４２と、当該門型支柱４２の上端部から外壁３に向かって拡縮自在に展開する陽光を遮るための幕状体４１とを有するので、当該幕状体４１を必要な時に展開させてテラス部４の上方を囲むようにして配置でき、上方からテラス部４または第一開口部６ａに射し込む陽光をより確実に遮ることができる。
また、当該日除け部４０ｄは、外壁３から離間して配置された自立式の日除け部４０ｄであるため、外壁３側の構造や形状等に左右されることなく、採用することができるので好ましい。
【００８９】
また、幕状体４１の展開方向先端は、屋外天井面４０ｃの下方に配置されているので、屋外天井面４０ｃと幕状体４１とが平面視において連続的に配置されることとなる。これによって、テラス部４の上方を、当該屋外天井面４０ｃと幕状体４１とによって確実に囲むことができるので、より確実に陽光を遮ることができる。
【００９０】
また、幕状体４１の展開方向先端は、屋外天井面４０ｃとの間に通風用の間隔を空けて配置されているので、幕状体４１の上方と下方から通風させる際に都合が良い。また、このように幕状体４１の上方と下方から通風ができれば、通風ルートを二方向に分けたり、例えば展開方向先端に鍔を取り付けることにより、いわゆる風レンズ原理に基づく技術を適用させたりすることができる。
風レンズ原理に基づく技術を採用すれば、第一開口部６ａから屋内空間に吹き込む空気の速度と量を増加させることができるので好ましい。
【００９１】
また、温かい空気は上昇する性質を備えているので、高天井部１６ａには第一開口部６ａが形成された箇所の外壁３の屋内空間の温かい空気が溜まりやすくなる。このように高天井部１６ａに溜まった空気を、当該高天井部１６ａから通気部である低天井の収納室２４を介して縦方向風洞部２ｂへと直接流入させることができるので、いわゆる煙突効果によって排気（排熱）効率を高めることができる。
【００９２】
また、日除け部４０ｄは、第一開口部６ａと高窓１６ｂとの境界部分と略等しい高さに配置されているので、当該日除け部４０ｄの上方と下方から通風させることができる。そして、日除け部４０ｄの上方を通過する空気を、高窓１６ｂから高天井部１６ａに向かって吹き込ませることによって、高天井部１６ａに溜まった温かい空気を縦方向風洞部２ｂへと流入させやすくなる。これによって、屋内空間における通風性を向上できるので、より快適な居住環境を形成できる。
【符号の説明】
【００９３】
１  建物
２  建物本体
２ａ  横方向風洞部
２ｂ  縦方向風洞部
３  外壁
４  テラス部
５  屋根
６ａ  第一開口部
６ｂ  第二開口部
６ｃ  第三開口部
７  テラス床
８  塀
９  給水管
３４  張出部
４０ａ  袖壁
４０ｂ  外壁面
４０ｃ  屋外天井面
４０ｄ  日除け部
４１  幕状体
【図１】
2015014164.tif 000003
【図２】
2015014164.tif 000004
【図３】
2015014164.tif 000005
【図４】
2015014164.tif 000006
【図５】
2015014164.tif 000007
【図６】
2015014164.tif 000008
【図７】
2015014164.tif 000009
【図８】
2015014164.tif 000010
【図９】
2015014164.tif 000011
【図１０】
2015014164.tif 000012
【図１１】
2015014164.tif 000013
【図１２】
2015014164.tif 000014
【図１３】
2015014164.tif 000015